(57)【要約】【目的】便座に着座して排尿することによって着座した状態のまま尿糖に関する健康状態を意識することなく確実に認識することができる尿糖検知便座を提供する。【構成】便器の便座がＯ型便座であり、  該便座には臭いセンサが組み込まれ、便座に着座した使用者の排尿の臭気を前記臭いセンサが検知し、この検知した臭いから尿に含まれる尿糖を計測し、この計測した値に基き計測結果を使用者に報知する報知手段を有する構成であって、  前記報知手段が、  便座の座面に配設され、着座した使用者に対して被服を介さず身体に直接的に刺激を加える刺激部と、  前記計測結果の尿糖値の度合いに基いて、刺激を加えるか否かの制御、及び／又は刺激の強弱の制御、を行う制御部と、  を有する構成であることを特徴とする。【選択図】        図１
2019092707.tif 000002
【特許請求の範囲】
【請求項１】
便器の便座がＯ型便座であり、
該便座には臭いセンサが組み込まれ、便座に着座した使用者の排尿の臭気を前記臭いセンサが検知し、この検知した臭いから尿に含まれる尿糖を計測し、この計測した値に基き計測結果を使用者に報知する報知手段を有する構成であって、
前記報知手段が、
便座の座面に配設され、着座した使用者に対して被服を介さず身体に直接的に刺激を加える刺激部と、
前記計測結果の尿糖値の度合いに基いて、刺激を加えるか否かの制御、及び／又は刺激の強弱の制御、を行う制御部と、
を有する構成であることを特徴とする尿糖検知便座。
【請求項２】
計測された尿糖値が要注意レベル乃至は危険レベルであった場合に、その悪化度合いに応じて刺激部の刺激が強くなる構成であることを特徴とする請求項１に記載の尿糖検知便座。
【請求項３】
前記刺激部が、座面の表面から突起部が突出して着座した使用者の身体を叩打する構成であることを特徴とする請求項１又は２に記載の尿糖検知便座。
【請求項４】
前記刺激部が、座面の表面の一部が突出又は隆起して着座した使用者の身体を押圧する構成であることを特徴とする請求項１又は２に記載の尿糖検知便座。
【請求項５】
前記刺激部が、座面の表面の少なくとも一部が振動して着座した使用者の身体に振動を伝達する構成であることを特徴とする請求項１又は２に記載の尿糖検知便座。
【請求項６】
前記刺激部が、座面の表面から先鋭部が突起して着座した使用者の身体に先鋭的な刺激を加える構成であることを特徴とする請求項１又は２に記載の尿糖検知便座。
【請求項７】
前記刺激部が、座面の表面の少なくとも一部に放電して着座した使用者の身体に電気的刺激を加える構成であることを特徴とする請求項１又は２に記載の尿糖検知便座。
【請求項８】
前記刺激部が、座面の表面の少なくとも一部を加温又は冷却して着座した使用者の身体に熱的刺激を加える構成であることを特徴とする請求項１又は２に記載の尿糖検知便座。
【請求項９】
使用者が便座に着座した際の両腿間となる位置であるＯ型の前端部の便座上面に表示部が配設され、前記計測結果が前記表示部に表示される構成であることを特徴とする請求項１〜８のいずれかに記載の尿糖検知便座。
【請求項１０】
前記刺激部が、座面の表面の少なくとも一部が発光して着座した使用者に光学的な刺激を加える構成であることを特徴とする請求項１、２又は９のいずれかに記載の尿糖検知便座。
【請求項１１】
便座のＯ型の前方部分の内周面乃至は下面に臭気取込部が設けられ、該臭気取込部から取り込んだ臭気を排気する臭気排気部が便座のＯ型の外周面乃至は上面に設けられた構成であり、
前記臭気取込部から臭気排気部の経路中で前記臭いセンサが臭気を検知する構成であること、
を特徴とする請求項１〜１０のいずれかに記載の尿糖検知便座。
【請求項１２】
前記臭いセンサが、排尿の臭気中のケトン体を検知する構成であることを特徴とする請求項１１に記載の尿糖検知便座。
【請求項１３】
脱臭機能を有する便器に適用する場合、検知時は脱臭機能をオフとし、検知後に脱臭機能をオンとする構成であることを特徴とする請求項１〜１２のいずれかに記載の尿糖検知便座。
【発明の詳細な説明】
【技術分野】
【０００１】
本発明は尿糖検知便座に関し、詳しくは、便所使用時に尿糖を検知測定及び報知し、日々の健康管理に有用な尿糖検知便座に関する。
【背景技術】
【０００２】
家庭において日々の健康管理を行うために、体調に関するデータとして体重・体脂肪率の測定が最も一般的であるが、これら以外にも種々の体調に関するデータを取得することが種々提案されている。
【０００３】
健康管理のために取得する種々の体調に関するデータとしては、特に近年では、尿糖の計測が重要視されてきている。
【０００４】
これは、食生活の欧米化、過食や運動不足による肥満から糖尿病、高血圧、高脂血症などの生活習慣病が増加しているためである。中でも、糖尿病・腎臓病は自覚症状が乏しいため早期発見が困難であるが、自分で簡単にできる排尿のチェックを習慣化することにより早期発見が可能である。
【０００５】
しかし、毎日欠かさずに排尿のチェックを行うことは「言うは易く行うは難し」であり、習慣付けることは困難である。
【０００６】
そこで、トイレの便器に体調に関するデータを検知測定できるセンサを設置して意識的な習慣化に頼らずとも検知測定を行うことができる技術が提案されている（例えば、特許文献１、２参照）。
【０００７】
特許文献１には、臭いセンサを含む各種センサによって生活習慣病リスク因子を簡易に収集する健康管理システムに関する技術が記載されている。
【０００８】
特許文献２には、便器の便座部分に尿糖センサが組み込まれており、この尿糖センサのセンサ部分に排尿を直接掛けることにより尿糖を検出する技術が記載されている。
【先行技術文献】
【特許文献】
【０００９】
【特許文献１】特開２００６−２６０３７号公報
【特許文献２】特開昭６４−５３１６２号公報
【発明の概要】
【発明が解決しようとする課題】
【００１０】
特許文献１の技術では、体調に関する多数のデータを検知計測でき、尿糖計測についても触れられてはいるが具体的な計測構成等についての記載は見当たらない。また、検知計測項目が多岐に亘るが故に毎日のチェックにおいては個々の項目各々の確認が疎かになってしまうという不都合を有している。
【００１１】
特許文献２の技術では、センサ部分に必要充分な量の尿を確実に掛かるように排尿しなければならず、自然且つ健康的な排尿が困難になるという不都合を有している。更に、検知計測の度に、尿が掛かったセンサ部分の洗浄を確実に行わなければならず、洗浄が不充分であった場合や日々堆積した汚れ等によって計測値が不正確になる場合があるという問題点を有している。
【００１２】
そこで本発明の目的は、便座に着座して排尿することによって着座した状態のまま尿糖に関する健康状態を意識することなく確実に認識することができる尿糖検知便座を提供することにある。
【課題を解決するための手段】
【００１３】
上記課題を解決する本発明は下記構成を有する。
【００１４】
１．便器の便座がＯ型便座であり、
該便座には臭いセンサが組み込まれ、便座に着座した使用者の排尿の臭気を前記臭いセンサが検知し、この検知した臭いから尿に含まれる尿糖を計測し、この計測した値に基き計測結果を使用者に報知する報知手段を有する構成であって、
前記報知手段が、
便座の座面に配設され、着座した使用者に対して被服を介さず身体に直接的に刺激を加える刺激部と、
前記計測結果の尿糖値の度合いに基いて、刺激を加えるか否かの制御、及び／又は刺激の強弱の制御、を行う制御部と、
を有する構成であることを特徴とする尿糖検知便座。
【００１５】
２．計測された尿糖値が要注意レベル乃至は危険レベルであった場合に、その悪化度合いに応じて刺激部の刺激が強くなる構成であることを特徴とする上記１に記載の尿糖検知便座。
【００１６】
３．前記刺激部が、座面の表面から突起部が突出して着座した使用者の身体を叩打する構成であることを特徴とする上記１又は２に記載の尿糖検知便座。
【００１７】
４．前記刺激部が、座面の表面の一部が突出又は隆起して着座した使用者の身体を押圧する構成であることを特徴とする上記１又は２に記載の尿糖検知便座。
【００１８】
５．前記刺激部が、座面の表面の少なくとも一部が振動して着座した使用者の身体に振動を伝達する構成であることを特徴とする上記１又は２に記載の尿糖検知便座。
【００１９】
６．前記刺激部が、座面の表面から先鋭部が突起して着座した使用者の身体に先鋭的な刺激を加える構成であることを特徴とする上記１又は２に記載の尿糖検知便座。
【００２０】
７．前記刺激部が、座面の表面の少なくとも一部に放電して着座した使用者の身体に電気的刺激を加える構成であることを特徴とする上記１又は２に記載の尿糖検知便座。
【００２１】
８．前記刺激部が、座面の表面の少なくとも一部を加温又は冷却して着座した使用者の身体に熱的刺激を加える構成であることを特徴とする上記１又は２に記載の尿糖検知便座。
【００２２】
９．使用者が便座に着座した際の両腿間となる位置であるＯ型の前端部の便座上面に表示部が配設され、前記計測結果が前記表示部に表示される構成であることを特徴とする上記１〜８のいずれかに記載の尿糖検知便座。
【００２３】
１０．前記刺激部が、座面の表面の少なくとも一部が発光して着座した使用者に光学的な刺激を加える構成であることを特徴とする上記１、２又は９のいずれかに記載の尿糖検知便座。
【００２４】
１１．便座のＯ型の前方部分の内周面乃至は下面に臭気取込部が設けられ、該臭気取込部から取り込んだ臭気を排気する臭気排気部が便座のＯ型の外周面乃至は上面に設けられた構成であり、
前記臭気取込部から臭気排気部の経路中で前記臭いセンサが臭気を検知する構成であること、
を特徴とする上記１〜１０のいずれかに記載の尿糖検知便座。
【００２５】
１２．前記臭いセンサが、排尿の臭気中のケトン体を検知する構成であることを特徴とする上記１１に記載の尿糖検知便座。
【００２６】
１３．脱臭機能を有する便器に適用する場合、検知時は脱臭機能をオフとし、検知後に脱臭機能をオンとする構成であることを特徴とする上記１〜１２のいずれかに記載の尿糖検知便座。
【発明の効果】
【００２７】
請求項１に示す発明は、便座に着座して排尿することによって着座した状態のまま尿糖に関する健康状態を意識することなく確実に認識することができる尿糖検知便座を提供することができる。
【００２８】
特に、計測した尿糖の値に基く計測結果が着座した使用者に対して被服を介さず身体に直接的に刺激を加えることによって知らせる構成なので、便座に着座して排尿した状態のまま尿糖値がどのような健康状態であるのかが直感的に確実に認識することができる。
【００２９】
請求項２に示す発明によれば、尿糖値が、健康に注意しなければならないレベルであったり、病院に行って受診しなければならないレベルであったり、その悪化度合いに応じて報知の刺激が強くなるので、強い刺激であればある程、尿糖危険度を容易に認識することができる。
【００３０】
請求項３に示す発明によれば、便座に着座した状態のままトントンと或いはトトトトトンと叩打されることにより尿糖値の状態を知ることができる。従って、種々の検知を行って様々な数値によって健康状態を知らせる健康器具等とは異なり、意識することなく確実に健康状態を認識することができる。
【００３１】
請求項４に示す発明によれば、便座に着座した状態のまま座面の一部によってクイクイと或いはグイグイと押圧されることにより尿糖値の状態を知ることができる。従って、種々の検知を行って様々な数値によって健康状態を知らせる健康器具等とは異なり、意識することなく確実に健康状態を認識することができる。
【００３２】
請求項５に示す発明によれば、便座に着座した状態のままプルプルと或いはブルブルとした振動により尿糖値の状態を知ることができる。従って、種々の検知を行って様々な数値によって健康状態を知らせる健康器具等とは異なり、意識することなく確実に健康状態を認識することができる。
【００３３】
請求項６に示す発明によれば、便座に着座した状態のままチクチクと或いはグリグリとした先鋭的な刺激により尿糖値の状態を知ることができる。従って、種々の検知を行って様々な数値によって健康状態を知らせる健康器具等とは異なり、意識することなく確実に健康状態を認識することができる。
【００３４】
請求項７に示す発明によれば、便座に着座した状態のままピリピリと或いはビリビリとした電気的な刺激により尿糖値の状態を知ることができる。従って、種々の検知を行って様々な数値によって健康状態を知らせる健康器具等とは異なり、意識することなく確実に健康状態を認識することができる。
【００３５】
請求項８に示す発明によれば、便座に着座した状態のまま座面の一部が熱くなる、又は冷たくなることにより尿糖値の状態を知ることができる。従って、種々の検知を行って様々な数値によって健康状態を知らせる健康器具等とは異なり、意識することなく確実に健康状態を認識することができる。
【００３６】
請求項９に示す発明によれば、便座に着座した状態のまま両腿間に位置する表示部を見るだけで尿糖値の状態を知ることができる。従って、種々の検知を行って様々な数値によって健康状態を知らせる健康器具等とは異なり、意識することなく確実に健康状態を認識することができる。
【００３７】
請求項１０に示す発明によれば、便座に着座した状態のまま座面の一部が発光することにより尿糖値の状態を知ることができる。従って、種々の検知を行って様々な数値によって健康状態を知らせる健康器具等とは異なり、意識することなく確実に健康状態を認識することができる。また、座面の上部に表示部を配設した構成と併設した場合には、発光によって表示部の表示を見るように使用者に促すこともできる。
【００３８】
請求項１１に示す発明によれば、排尿箇所に極めて近い位置での検知が可能であるため、より正確な測定が可能である。
【００３９】
請求項１２に示す発明によれば、ケトン体の検知により測定した尿糖の測定値から糖尿病・腎臓病の早期発見を期待することができる。
【００４０】
請求項１３に示す発明によれば、脱臭機能を有する便器に適用する場合であっても正確な計測を行うことができる。
【図面の簡単な説明】
【００４１】
【図１】本発明に係る尿糖検知便座の一実施例の使用状態を示す概略平面図
【図２】図１の刺激部を示す要部側面図
【図３】本発明に係る尿糖検知便座の他の実施例の使用状態を示す概略平面図
【図４】図３の刺激部の一例を示す要部断面図
【図５】図３の刺激部の他の例を示す要部断面図
【図６】刺激部の他の実施例を示す要部断面図
【図７】本発明に係る尿糖検知便座の他の実施例の使用状態を示す概略平面図
【図８】図７の刺激部の一例を示す要部断面図
【図９】本発明に係る尿糖検知便座の他の実施例の使用状態を示す概略平面図
【図１０】図９の刺激部の一例を示す要部断面図
【図１１】本発明に係る尿糖検知便座の更に他の実施例の使用状態を示す概略平面図
【図１２】臭いセンサの組込構成の一例を示す概略構成図
【図１３】図１２示す組込構成部分を平面視した際の概略構成図
【発明を実施するための形態】
【００４２】
次に、添付の図面に従って本発明を実施例に基づき詳細に説明する。
【００４３】
本発明に係る尿糖検知便座（以下、単に便座ということもある。）は、便所使用時に尿糖を検知測定し、日々の健康管理に有用なものである。
【００４４】
即ち、図１及び図２に示すように、本発明の便座１はＯ型であり、
該便座１には臭いセンサ２が組み込まれ、便座１に着座した使用者Ｍの排尿の臭気を前記臭いセンサ２が検知し、この検知した臭いから尿に含まれる尿糖を計測し、この計測した値に基き計測結果を使用者Ｍに報知する報知手段を有する構成であって、
前記報知手段が、
便座１の座面に配設され、着座した使用者Ｍに対して直接的に刺激を加える刺激部３と、
前記計測結果の尿糖値の度合いに基いて、刺激を加えるか否かの制御、及び／又は刺激の強弱の制御、を行う制御部４と、
を有する構成である。図１において、符号５は便器蓋を示す。
【００４５】
前記臭いセンサ２は、排尿の臭気中のケトン体を検知する構成の臭いセンサであり、該臭いセンサ２としては、臭気中のケトン体を検知して含有量や含有率を計測することができる公知公用の臭いセンサを用いることができる。尚、臭いセンサは、公知のガスセンサ技術を用いたものであり、例えば、「人工」又は「電子」タング又はノーズとして知られる市販の装置を挙げることができる。本発明で使用できるセンサ技術としては、例えば、特表２００２−５２９６９４号、米国特許５９４５０６９号、同５９１８２５７号、同４９３８９２８号、同４９９２２４４号、５０３４１９２号、同５０７１７７０号、同５１４５６４５号、同５２５２２９２号、同５６０５６１２号、同５７５６８７９号、同５７８３１５４号、同５８３０４１２号等に記載の技術を上げることができる。更に、種々のセンサとして、導電性ポリマーガスセンサ、アプタマーバイオセンサ、増幅蛍光ポリマー（ＡＦＰ）センサ、表面音響波（ＳＡＷ）センサ、金属酸化物ガスセンサ、有機ガスセンサ、有機半導性ガスセンサ、固体電解質ガスセンサ、触媒ガスセンサ等を挙げることができる。
【００４６】
また前記臭いセンサ２は、便座１のＯ型の前方部分の内周面乃至は下面に臭気取込部２１が設けられ、該臭気取込部２１から取り込んだ臭気を排気する臭気排気部２２が便座のＯ型の外周面乃至は上面に設けられ、前記臭気取込部２１から臭気排気部２２の経路中で臭気を検知する構成であることが好ましい。便器内に配設される尿の臭気を臭気取込部２１から取込み、臭気排気部２２から排気するには、臭気の経路途中にモータ等を駆動源とするファンを配設することにより、このファンの送風作用によって行われることが好ましい。尚、臭気の経路中において臭いセンサ２の前方及び／又は後方にフィルタを配設することも好ましい。
【００４７】
前記臭いセンサによって検知し、計測された尿糖の値は、例えば、下記するような基準に基いて健康状態が判断される。
【００４８】
［尿糖の基準値］
陰性(−)：５０ｍｇ／ｄＬ未満
擬陽性  ：５０〜１００ｍｇ／ｄＬ未満
陽性１＋：１００〜２５０ｍｇ／ｄＬ未満
陽性２＋：２５０〜５００ｍｇ／ｄＬ未満
陽性３＋：５００〜１０００ｍｇ／ｄＬ未満
陽性４＋：１０００〜２０００ｍｇ／ｄＬ未満
陽性５＋：２０００〜
【００４９】
即ち、上記の基準値を参考にした場合、尿糖の含有量が５０ｍｇ/ｄＬ未満の場合は異常無しであり、５０〜１００ｍｇ／ｄＬの範囲内の場合は尿糖が少量であって注意を要する健康状態（要注意レベル）であり、１００ｍｇ／ｄＬ超の場合は異常有りの健康状態（危険レベル）である、と判断することができる。
【００５０】
計測した尿糖の値を上記の基準値に当て嵌め、その結果に基づき制御部４が刺激部３の制御を行うことにより、刺激部３による刺激を加えるか否か、刺激の強弱がの制御される。そして、この制御された刺激部３による刺激の有無（異常有りか、異常無しか。）と刺激の強さ（要注意レベルであるか、危険レベルであるか等）によって使用者Ｍは尿糖値の健康状態を認識することができる。特に、異常有りの場合には悪化度合いに応じて刺激部３による刺激が強くなる構成とすることが好ましい。
【００５１】
臭いセンサ２によって検知され、制御部４によって判断され制御され、刺激部３による刺激によって使用者Ｍに尿糖の値の健康状態について報知される報知手段の種類としては、例えば、下記するような種々の態様を挙げることができる。
【００５２】
先ず、図１及び図２に示す実施例では、報知手段の刺激部３が便座１の座面の表面に突出して配設された突起部３１が使用者Ｍを叩打することによって尿糖値の計測結果を報知する構成である。この際、突起部３１がトントンと軽く叩打することにより尿糖値が要注意レベルであることを報知し、トトトトトンと速いリズムで強く叩打することにより尿糖値が危険レベルであることが報知される。尚、突起部３１の動作構成については、制御部４によって制御される動作指令に基づくモーター駆動や電磁石駆動によって往復動される公知公用の駆動機構等を採用することができる。
【００５３】
次に、図３〜図５に示す実施例では、報知手段の刺激部３が便座１の座面の表面の一部が突出又は隆起する押圧部３２が使用者Ｍを押圧することによって尿糖値の計測結果を報知する構成である。この際、押圧部３２がクイクイと軽く押圧することにより尿糖値が要注意レベルであることを報知し、グイグイと強く押圧することにより尿糖値が危険レベルであることが報知される。尚、押圧部３２の動作構成については、制御部４によって制御される動作指令に基づくピストン駆動によって上下動される公知公用の駆動機構等を採用することができる。尚、本実施例の図４に示す構成は、便座１の座面の表面の一部が伸縮可能なシート体等で形成されることによって該シート体の下方に配設された押圧部３２の上下動に応じて隆起する構成になっている。尚また、本実施例の図５に示す構成は、便座１の座面の表面の一部が押圧部３２の上下動に応じて突出する構成になっている。
【００５４】
次に、図６に示す実施例では、報知手段の刺激部３が便座１の座面の表面の一部が振動部３３の駆動により振動することによって尿糖値の計測結果を報知する構成である。この際、振動部３３がプルプルと軽く振動することにより尿糖値が要注意レベルであることを報知し、ブルブルと強く振動することにより尿糖値が危険レベルであることが報知される。尚、振動部３３の動作構成については、制御部４によって制御される動作指令に基づく偏芯モーター駆動や電磁石駆動によって振動する公知公用の振動機構等を採用することができる。
【００５５】
次に、図７及び図８に示す実施例では、報知手段の刺激部３が便座１の座面の表面から突起する先鋭部３４が使用者Ｍに先鋭的な刺激を加えることによって尿糖値の計測結果を報知する構成である。この際、先鋭部３４がチクチクと軽く刺激することにより尿糖値が要注意レベルであることを報知し、グリグリと強く刺激することにより尿糖値が危険レベルであることが報知される。尚、先鋭部３４の動作構成については、制御部４によって制御される動作指令に基づくピストン駆動によって上下動される公知公用の駆動機構等を採用することができる。
【００５６】
次に、図９に示す実施例では、報知手段の刺激部３が便座１の座面の表面の一部に放電部３５により放電して電気的刺激を加えることによって尿糖値の計測結果を報知する構成である。この際、放電部３５がピリピリと軽く放電することにより尿糖値が要注意レベルであることを報知し、ビリビリと強く放電することにより尿糖値が危険レベルであることが報知される。尚、放電部３５の動作構成については、制御部４によって制御される動作指令に基づき放電する公知公用の放電電極等を採用することができる。
【００５７】
次に、図１０に示す実施例では、報知手段の刺激部３が便座１の座面の表面の一部を加熱部又は冷却部３６により加温又は冷却して熱的刺激を加えることによって尿糖値の計測結果を報知する構成である。この際、加熱部又は冷却部３６がじんわりと温かく加温、又はひんやりと冷たく冷却することにより尿糖値が要注意レベルであることを報知し、急激に熱く加温、又は急冷することにより尿糖値が危険レベルであることが報知される。尚、加熱部又は冷却部３６の動作構成については、制御部４によって制御される動作指令に基づき加温するヒーターや熱媒、又は冷却するクーラーや冷媒等の公知公用の加熱機構又は冷却機構等を採用することができる。
【００５８】
更に本発明の尿糖検知便座１では、図１１に示すように使用者Ｍが便座１に着座した際の両腿間となる位置であるＯ型の前端部の便座１の上面に尿糖値の計測結果を表示する表示部６を配設する構成とすることもできる。
【００５９】
表示部６に表示する計測結果内容としては、尿糖含有量のような具体的な数値の他、単に健康レベルにおける異常の有無のみを表す記号「○」と「×」等や、健康レベルにおける異常の程度を表す棒グラフ等の表示を挙げることができる。尚、図１１に示す本実施例では「×○」を表示している。
【００６０】
更にまた、報知手段の刺激部として便座１の座面の表面の少なくとも一部に発光部を設け、この発光部が発光して光学的な刺激を加えることによって尿糖知の計測結果を報知する構成とすることもできる。発光部としては、上記した図１１に示す表示部６の一部又は全部を発光させてもよいし、表示部６とは別の部分に別体でＬＥＤ等の光学手段による発光部を付加したり、或いは表示部６に代えて座面にＬＥＤ等の光学手段による発光部のみを配設する構成とすることもできる。この発光による報知は、例えば、ピカっと光ることにより尿糖値が要注意レベルであることを報知し、ビカビカと強い光で光ることにより尿糖知が危険レベルであることが報知される。この際、尿糖値の悪化具合に応じて、悪い値であるほど速い点滅としたり、発光照度を上げたりしてもよいし、発光の色を正常値の場合には緑色系や青色系とし、要注意レベルでは黄色とし、悪い値になるほど橙色から赤色へと変化させてもよい。
【００６１】
報知手段が発光による刺激の場合、発光によって尿糖値の計測結果が報知されるだけでなく、座面の上部に表示部６を配設した構成と併設させることにより発光によって表示部６の表示を見るように使用者に促すこともできる。
【００６２】
次に、臭いセンサ２の便座１への組込構成例としては、図１２及び図１３（図１２の組込構成部分を平面視した際の図）に示すような構成例を挙げることができる。即ち、図１２及び図１３において、便器内に排泄された尿は、その臭気が、モータ２５を駆動源として駆動するファン２４により、便座１に設けられた臭気取込部２１から取り込まれ、フィルタ２３を通過し、臭いセンサ２により尿糖が検知された後、臭気排気部２２から便器外に排出される。
【００６３】
以上の構成を有する本発明の尿糖検知便座によれば、便座に着座して排尿することによって着座した状態のまま尿糖に関する健康状態を意識することなく確実に認識することができる。特に、計測した尿糖の値に基く計測結果が着座した使用者に直接的に刺激を加えることによって知らせる構成なので、便座に着座して排尿した状態のまま尿糖値がどのような健康状態であるのかが直感的に確実に認識することができる。従って、自覚症状が乏しいため早期発見が困難である糖尿病・腎臓病について、排尿のチェックが容易に習慣化されて早期発見が可能となる。
【００６４】
尚、上記構成を有する尿糖検知便座による尿糖の検知に際しては、脱臭機能を有する便器に適用する場合、検知時は脱臭機能をオフとし、検知後に脱臭機能をオンとすることにより正確な計測を行うことができる。例えば、脱臭機能のオン／オフ・スイッチを設ける、又は着座後に一定時間経過したら脱臭機能をオンにする、若しくは尿糖検知に応じて脱臭機能をオンにする等のいずれの構成を採用してもよい。
【符号の説明】
【００６５】
１  尿糖検知便座
２  臭いセンサ
２１  臭気取込部
２２  臭気排気部
２３  フィルタ
２４  ファン
２５  モータ
３  刺激部
３１  突起部
３２  押圧部
３３  振動部
３４  先鋭部
３５  放電部
３６  加熱部又は冷却部
４  制御部
５  便器蓋
６  表示部
Ｍ  着座した使用者
【図１】
2019092707.tif 000003
【図２】
2019092707.tif 000004
【図３】
2019092707.tif 000005
【図４】
2019092707.tif 000006
【図５】
2019092707.tif 000007
【図６】
2019092707.tif 000008
【図７】
2019092707.tif 000009
【図８】
2019092707.tif 000010
【図９】
2019092707.tif 000011
【図１０】
2019092707.tif 000012
【図１１】
2019092707.tif 000013
【図１２】
2019092707.tif 000014
【図１３】
2019092707.tif 000015
【手続補正書】
【提出日】平成30年4月17日(2018.4.17)
【手続補正１】
【補正対象書類名】特許請求の範囲
【補正対象項目名】全文
【補正方法】変更
【補正の内容】
【特許請求の範囲】
【請求項１】
便器の便座がＯ型便座であり、
該便座には臭いセンサが組み込まれ、便座に着座した使用者の排尿の臭気を前記臭いセンサが検知し、この検知した臭いから尿に含まれる尿糖を計測し、この計測した値に基き計測結果を使用者に報知する報知手段を有する構成であって、
前記報知手段が、
便座の座面に配設され、着座した使用者に対して被服を介さず身体に直接的に刺激を加える刺激部と、
前記計測結果の尿糖値の度合いに基いて、刺激を加えるか否かの制御、及び／又は刺激の強弱の制御、を行う制御部と、
を有する構成であり、
更に、使用者が便座に着座した際の両腿間となる位置であるＯ型の前端部の便座上面に表示部が配設され、前記計測結果が前記表示部に表示される構成であり、
意識することなく前記報知手段によって報知された尿糖値の状態を前記表示部によって確認できる構成であること、
を特徴とする尿糖検知便座。
【請求項２】
計測された尿糖値が要注意レベル乃至は危険レベルであった場合に、その悪化度合いに応じて刺激部の刺激が強くなる構成であることを特徴とする請求項１に記載の尿糖検知便座。
【請求項３】
前記刺激部が、座面の表面から突起部が突出して着座した使用者の身体を叩打する構成であることを特徴とする請求項１又は２に記載の尿糖検知便座。
【請求項４】
前記刺激部が、座面の表面の一部が突出又は隆起して着座した使用者の身体を押圧する構成であることを特徴とする請求項１又は２に記載の尿糖検知便座。
【請求項５】
前記刺激部が、座面の表面の少なくとも一部が振動して着座した使用者の身体に振動を伝達する構成であることを特徴とする請求項１又は２に記載の尿糖検知便座。
【請求項６】
前記刺激部が、座面の表面から先鋭部が突起して着座した使用者の身体に先鋭的な刺激を加える構成であることを特徴とする請求項１又は２に記載の尿糖検知便座。
【請求項７】
前記刺激部が、座面の表面の少なくとも一部に放電して着座した使用者の身体に電気的刺激を加える構成であることを特徴とする請求項１又は２に記載の尿糖検知便座。
【請求項８】
前記刺激部が、座面の表面の少なくとも一部を加温又は冷却して着座した使用者の身体に熱的刺激を加える構成であることを特徴とする請求項１又は２に記載の尿糖検知便座。
【請求項９】
前記刺激部が、座面の表面の少なくとも一部が発光して着座した使用者に光学的な刺激を加える構成であることを特徴とする請求項１又は２に記載の尿糖検知便座。
【請求項１０】
便座のＯ型の前方部分の内周面乃至は下面に臭気取込部が設けられ、該臭気取込部から取り込んだ臭気を排気する臭気排気部が便座のＯ型の外周面乃至は上面に設けられた構成であり、
前記臭気取込部から臭気排気部の経路中で前記臭いセンサが臭気を検知する構成であること、
を特徴とする請求項１〜９のいずれかに記載の尿糖検知便座。
【請求項１１】
前記臭いセンサが、排尿の臭気中のケトン体を検知する構成であることを特徴とする請求項１０に記載の尿糖検知便座。
【請求項１２】
脱臭機能を有する便器に適用する場合、検知時は脱臭機能をオフとし、検知後に脱臭機能をオンとする構成であることを特徴とする請求項１〜１１のいずれかに記載の尿糖検知便座。
【手続補正２】
【補正対象書類名】明細書
【補正対象項目名】００１４
【補正方法】変更
【補正の内容】
【００１４】
１．便器の便座がＯ型便座であり、
該便座には臭いセンサが組み込まれ、便座に着座した使用者の排尿の臭気を前記臭いセンサが検知し、この検知した臭いから尿に含まれる尿糖を計測し、この計測した値に基き計測結果を使用者に報知する報知手段を有する構成であって、
前記報知手段が、
便座の座面に配設され、着座した使用者に対して被服を介さず身体に直接的に刺激を加える刺激部と、
前記計測結果の尿糖値の度合いに基いて、刺激を加えるか否かの制御、及び／又は刺激の強弱の制御、を行う制御部と、
を有する構成であり、
更に、使用者が便座に着座した際の両腿間となる位置であるＯ型の前端部の便座上面に表示部が配設され、前記計測結果が前記表示部に表示される構成であり、
意識することなく前記報知手段によって報知された尿糖値の状態を前記表示部によって確認できる構成であること、
を特徴とする尿糖検知便座。
【手続補正３】
【補正対象書類名】明細書
【補正対象項目名】００２２
【補正方法】削除
【補正の内容】
【手続補正４】
【補正対象書類名】明細書
【補正対象項目名】００２３
【補正方法】変更
【補正の内容】
【００２３】
９．前記刺激部が、座面の表面の少なくとも一部が発光して着座した使用者に光学的な刺激を加える構成であることを特徴とする上記１又は２に記載の尿糖検知便座。
【手続補正５】
【補正対象書類名】明細書
【補正対象項目名】００２４
【補正方法】変更
【補正の内容】
【００２４】
１０．便座のＯ型の前方部分の内周面乃至は下面に臭気取込部が設けられ、該臭気取込部から取り込んだ臭気を排気する臭気排気部が便座のＯ型の外周面乃至は上面に設けられた構成であり、
前記臭気取込部から臭気排気部の経路中で前記臭いセンサが臭気を検知する構成であること、
を特徴とする上記１〜９のいずれかに記載の尿糖検知便座。
【手続補正６】
【補正対象書類名】明細書
【補正対象項目名】００２５
【補正方法】変更
【補正の内容】
【００２５】
１１．前記臭いセンサが、排尿の臭気中のケトン体を検知する構成であることを特徴とする上記１０に記載の尿糖検知便座。
【手続補正７】
【補正対象書類名】明細書
【補正対象項目名】００２６
【補正方法】変更
【補正の内容】
【００２６】
１２．脱臭機能を有する便器に適用する場合、検知時は脱臭機能をオフとし、検知後に脱臭機能をオンとする構成であることを特徴とする上記１〜１１のいずれかに記載の尿糖検知便座。